(57)【要約】【課題】可撓性のある有機ＥＬパネルを好適に固定する。【解決手段】発光装置１０は、有機ＥＬパネル１６と、有機ＥＬパネル１６を封止する封止部材２０と、封止部材２０から突出するタブ部１７とを有する有機ＥＬ組立体１２と、スリット部１５を有する支持部材１４と、タブ部１７がスリット部１５に挿通されてなる有機ＥＬ組立体１２と支持部材１４との固定部とを備える。【選択図】図２
2017220309.tif 000002
【特許請求の範囲】
【請求項１】
有機ＥＬパネルと、前記有機ＥＬパネルを封止する封止部材と、前記封止部材から突出するタブ部と、を有する有機ＥＬ組立体と、
スリット部を有する支持部材と、
前記タブ部が前記スリット部に挿通されてなる前記有機ＥＬ組立体と前記支持部材との固定部と、
を備えることを特徴とする発光装置。
【請求項２】
前記タブ部は、前記封止部材の対向する両端部から突出する第１および第２のタブ部を含み、
前記スリット部は、前記第１および第２のタブ部がそれぞれ挿通される、所定の間隔で配置された第１および第２のスリット部を含むことを特徴とする請求項１に記載の発光装置。
【請求項３】
前記有機ＥＬ組立体が湾曲した状態で前記支持部材に固定されるよう、前記第１および第２のスリットの間隔が設定されることを特徴とする請求項２に記載の発光装置。
【請求項４】
前記有機ＥＬ組立体と前記支持部材との間に形成された空間に、別の光源が配置されることを特徴とする請求項３に記載の発光装置。
【請求項５】
前記有機ＥＬ組立体は、前記有機ＥＬパネルに給電するためのフレキシブルプリント基板を備え、
前記フレキシブルプリント基板は、前記タブ部から外部に延在しており、
前記タブ部が前記スリット部に挿通された状態において、前記フレキシブルプリント基板の前記タブ部からの延在部に給電手段が接続されることを特徴とする請求項１から４のいずれかに記載の発光装置。
【発明の詳細な説明】
【技術分野】
【０００１】
本発明は、有機ＥＬ（Ｅｌｅｃｔｒｏ  Ｌｕｍｉｎｅｓｃｅｎｃｅ）を使用した発光装置に関する。
【背景技術】
【０００２】
従来より、車両用灯具等の発光装置を薄く小型化するために、光源に有機ＥＬパネルを使用すること提案されている（例えば特許文献１参照）。
【先行技術文献】
【特許文献】
【０００３】
【特許文献１】特開２０１４−１１０１７８号公報
【発明の概要】
【発明が解決しようとする課題】
【０００４】
可撓性を有するフレキシブル有機ＥＬは、その柔軟な構造のため、フレーム等の支持部材への正確かつ強固な固定が困難である。固定が不十分な場合、振動等で有機ＥＬパネルがフレームからずれたり有機ＥＬ自体がたわんでしまい、所望の光度が満たせなかったり有機ＥＬが破損したりする恐れがある。
【０００５】
本発明はこうした状況に鑑みてなされたものであり、その目的は、可撓性のある有機ＥＬパネルを好適に固定する技術を提供することにある。
【課題を解決するための手段】
【０００６】
上記課題を解決するために、本発明のある態様の発光装置は、有機ＥＬパネルと、有機ＥＬパネルを封止する封止部材と、封止部材から突出するタブ部と、を有する有機ＥＬ組立体と、スリット部を有する支持部材と、タブ部がスリット部に挿通されてなる有機ＥＬ組立体と支持部材との固定部と、を備える。
【０００７】
タブ部は、封止部材の対向する両端部から突出する第１および第２のタブ部を含んでもよい。スリット部は、第１および第２のタブ部がそれぞれ挿通される、所定の間隔で配置された第１および第２のスリット部を含んでもよい。
【０００８】
有機ＥＬ組立体が湾曲した状態で支持部材に固定されるよう、第１および第２のスリットの間隔が設定されてもよい。
【０００９】
有機ＥＬ組立体と支持部材との間に形成された空間に、別の光源が配置されてもよい。
【００１０】
有機ＥＬ組立体は、有機ＥＬパネルに給電するためのフレキシブルプリント基板を備えてもよい。フレキシブルプリント基板は、タブ部から外部に延在しており、タブ部がスリット部に挿通された状態において、フレキシブルプリント基板のタブ部からの延在部に給電手段が接続されてもよい。
【発明の効果】
【００１１】
本発明によれば、可撓性のある有機ＥＬパネルを好適に固定することができる。
【図面の簡単な説明】
【００１２】
【図１】本発明の実施形態に係る発光装置の概略斜視図である。
【図２】本発明の実施形態に係る発光装置の概略分解斜視図である。
【図３】有機ＥＬ組立体の平面図である。
【図４】図３に示す有機ＥＬ組立体のＡ−Ａ断面図である。
【図５】有機ＥＬ組立体の支持部材への固定方法の一例を示すための概略断面図である。
【図６】有機ＥＬ組立体の支持部材への固定方法の変形例を示すための概略断面図である。
【図７】発光装置の変形例を説明するための図である。
【図８】発光装置の変形例を説明するための図である。
【図９】発光装置の変形例を説明するための図である。
【発明を実施するための形態】
【００１３】
以下、図面を参照して本発明の実施形態に係る発光装置について詳細に説明する。本実施形態に係る発光装置は、車両用灯具として使用可能である。なお、本明細書において「上」、「下」、「前」、「後」、「左」、「右」、「内」、「外」等の方向を表す用語が用いられる場合、それらは発光装置が車両に装着されたときの姿勢における方向を意味する。また、各図面は各部材の位置関係を説明することを目的としているため、必ずしも実際の各部材の寸法関係を表すものではない。また、各実施形態の説明において、同一または対応する構成要素には同一の符号を付し、重複する説明は適宜省略する。
【００１４】
図１は、本発明の実施形態に係る発光装置１０の概略斜視図である。図２は、本発明の実施形態に係る発光装置１０の概略分解斜視図である。図１に例示した発光装置１０は、テールランプ、ストップランプ、デイタイムランニングランプ、クリアランスランプ、ターンシグナルランプなどに用いられてよい。図１および図２に示すように、発光装置１０は、有機ＥＬ組立体１２と、有機ＥＬ組立体１２を支持するための支持部材１４とを備える。
【００１５】
図１および図２に示す実施形態では、発光装置１０が３個の有機ＥＬ組立体１２を有するが、有機ＥＬ組立体１２の数は特に限定されない。また、図１および図２に示す実施形態では、支持部材１４は平板状であるが、支持部材１４の形状は特に限定されず、例えば曲板状であってもよい。支持部材１４は、例えば車両用灯具のボディに取り付けられてもよいし、ボディと一体に形成されてもよい。
【００１６】
図２に示すように、支持部材１４には複数のスリット部１５が形成されている。スリット部１５は、支持部材１４を貫通する長孔である。１つの有機ＥＬ組立体１２に対して、所定の間隔で互いに平行な一対のスリット部１５（第１スリット部１５ａおよび第２スリット部１５ｂ）が形成される。
【００１７】
図２に示すように、有機ＥＬ組立体１２は、対向する両端部から突出する２つのタブ部１７（第１タブ部１７ａおよび第２タブ部１７ｂ）を有する。有機ＥＬ組立体１２の第１タブ部１７ａは、支持部材１４の第１スリット部１５ａに挿通され、第２タブ部１７ｂは第２スリット部１５ｂに挿通される。これにより、有機ＥＬ組立体１２が支持部材１４に固定される。本実施形態では、有機ＥＬ組立体１２は湾曲した状態で支持部材１４に固定される。有機ＥＬ組立体１２の湾曲状態は、第１スリット部１５ａおよび第２スリット部１５ｂの間隔によって定められる。
【００１８】
図２に示すように、各タブ部１７には、挿通方向に対して直交する方向に突出する返し部１９が形成されている。この返し部１９を設けることにより、タブ部１７をスリット部１５から抜け難くすることができる。返し部１９の形状は特に限定されず、例えば矩形状や三角形状であってよい。
【００１９】
有機ＥＬパネルは、平らな状態の場合、正面方向の発光強度は高いが、横方向の発光強度は低い。その点、本実施形態に係る発光装置１０では、有機ＥＬ組立体１２を湾曲させて固定しているので、正面方向だけでなく、横方向の発光強度も確保することができる。例えば発光装置１０を車両用灯具に用いた場合には、灯具正面方向の視認性だけでなく、灯具横方向の視認性も確保することができる。
【００２０】
図３は、有機ＥＬ組立体１２の平面図である。図４は、図３に示す有機ＥＬ組立体１２のＡ−Ａ断面図である。有機ＥＬ組立体１２は、有機ＥＬパネル１６と、該有機ＥＬパネル１６を封止する２枚の封止部材２０と、有機ＥＬパネル１６に給電するためのフレキシブルプリント基板２２とを備える。
【００２１】
有機ＥＬパネル１６は、透明な樹脂基板上に、陽極、有機物層および陰極を積層したものである。陽極としては、ＩＴＯ（酸化インジウムスズ）等の透明電極が用いられる。陰極としては、アルミニウム等の金属電極が用いられる。陽極および陰極を用いて有機物層に電圧を印加すると、陽極から正孔が、陰極からは電子が注入され、有機物層でそれらが結合する際に生じるエネルギーで蛍光性有機化合物が励起され、発光する。なお、有機物層は、リン光性有機化合物を含むものであってもよい。また、有機ＥＬパネル１６は透明なガラス基板上に陽極、有機物層および陰極を積層して形成されてもよい。
【００２２】
２枚の封止部材２０は、有機ＥＬパネル１６を覆っている。２枚の封止部材２０は、透明フィルム状であり、接着剤２４により互いに接合される。有機ＥＬパネル１６の紫外線による劣化を抑制するために、封止部材２０は紫外線吸収性材料を含有していることが好ましい。封止部材２０の対向する両端部からは第１タブ部１７ａおよび第２タブ部１７ｂが突出している。第１タブ部１７ａおよび第２タブ部１７ｂは、封止部材２０と同じ素材で封止部材２０と一体に形成されてよい。すなわち、第１タブ部１７ａおよび第２タブ部１７ｂは、透明フィルム状部材の両端部を切り欠くことにより形成されてよい。上述したように、第１タブ部１７ａおよび第２タブ部１７ｂには、返し部１９が形成されている。
【００２３】
フレキシブルプリント基板２２は、有機ＥＬパネル１６の陽極および陰極に接続されている。図３および図４に示すように、フレキシブルプリント基板２２は、第１タブ部１７ａおよび第２タブ部１７ｂから外部に延在している。フレキシブルプリント基板２２には、配線を接続するための電極２３が形成されている。
【００２４】
図５は、有機ＥＬ組立体１２の支持部材１４への固定方法の一例を示すための概略断面図である。上述したように、有機ＥＬ組立体１２の第１タブ部１７ａは、支持部材１４の第１スリット部１５ａに挿通され、第２タブ部１７ｂは第２スリット部１５ｂに挿通される。有機ＥＬ組立体１２を湾曲させると、支持部材１４の弾性によりタブ部をスリット部の内面に押し付ける力が働くので、有機ＥＬ組立体１２を支持部材１４に固定することができる。
【００２５】
しかしながら、より確実に有機ＥＬ組立体１２を支持部材１４に固定するために、支持部材１４の裏面側にピン５０を設け、ピン５０を有機ＥＬ組立体１２のタブ部に設けた孔に嵌合した後にピン５０を熱カシメすることで、有機ＥＬ組立体１２を支持部材１４に固定してもよい。あるいは、ネジや接着剤を用いて有機ＥＬ組立体１２を支持部材１４に固定してもよい。いずれの固定方法においても、有機ＥＬ組立体１２と支持部材１４との固定部を支持部材１４の裏面側に位置させることで、固定部が正面方向から見えにくくなるため発光装置１０の見栄えを向上できる。
【００２６】
図５に示すように、フレキシブルプリント基板２２の電極２３には配線５２が接続される。本実施形態においては、電極２３および配線５２などの給電手段も支持部材１４の裏面側に位置するので、発光装置１０の見栄えを向上できる。
【００２７】
図６は、有機ＥＬ組立体１２の支持部材１４への固定方法の変形例を示すための概略断面図である。図６に示す固定方法では、有機ＥＬ組立体１２と支持部材１４との間に空間に、有機ＥＬ組立体１２と当接するように棒状の補強部材５４が配置されている。このように補強部材５４を配置することにより、有機ＥＬ組立体１２の湾曲形状を好適に維持することが可能となる。
【００２８】
図７は、発光装置の変形例を説明するための図である。本変形例に係る発光装置７０では、有機ＥＬ組立体１２と支持部材１４との間に形成された空間に、有機ＥＬ組立体１２とは別の光源７２が配置されている。光源７２は特に限定されず、例えばＬＥＤやバルブであってよい。本変形例に係る発光装置７０においては、光源７２からの光を好適に照射するために、透明な有機ＥＬパネル（所謂「シースルー有機ＥＬパネル」）が用いられることが望ましい。例えば、発光装置７０を車両用灯具に用いた場合には、有機ＥＬ組立体１２をテールランプとして使用し、別の光源７２をストップランプとして使用することができる。
【００２９】
図８も、発光装置の変形例を説明するための図である。本変形例に係る発光装置８０では、中央の有機ＥＬ組立体１２に対応する第１スリット部１５ａおよび第２スリット部１５ｂの間隔が、左右の有機ＥＬ組立体１２に対応する第１スリット部１５ａおよび第２スリット部１５ｂの間隔よりも狭くなっている。これにより、中央の有機ＥＬ組立体１２の曲率が左右の有機ＥＬ組立体１２の曲率よりも大きくなっている。
【００３０】
このように第１スリット部１５ａおよび第２スリット部１５ｂの間隔を変えることにより、有機ＥＬ組立体１２の曲率を容易に調整することができる。有機ＥＬ組立体１２の曲率を調整することにより、発光装置の配光を制御することができる。例えば図８に示す発光装置８０では、曲率を比較的小さくした左右の有機ＥＬ組立体１２は正面方向の発光強度を高くでき、曲率を比較的大きくした中央の有機ＥＬ組立体１２は横方向の発光強度が高くできる。
【００３１】
図９も、発光装置の変形例を説明するための図である。本変形例に係る発光装置９０では、上段および下段の有機ＥＬ組立体１２に対応するスリット部１５の延在方向と、中段の有機ＥＬ組立体１２に対応するスリット部１５の延在方向が直交している。これにより、上段および下段の有機ＥＬ組立体１２の湾曲方向と、中段の有機ＥＬ組立体１２の湾曲方向とが異なっている。上段および下段の有機ＥＬ組立体１２は、発光装置９０の正面方向および左右方向の発光強度を高くできる。一方、中段の有機ＥＬ組立体１２は、発光装置９０の正面方向および上下方向の発光強度を高くできる。このように、支持部材１４に形成するスリット部１５の延在方向を調整することにより、発光装置の配光を制御することができる。
【００３２】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３３】
１０、７０、８０、９０  発光装置、  １２  有機ＥＬ組立体、  １４  支持部材、  １５  スリット部、  １５ａ  第１スリット部、  １５ｂ  第２スリット部、  １６  有機ＥＬパネル、  １７ａ  第１タブ部、  １７ｂ  第２タブ部、  １７  タブ部、  １９  返し部、  ２０  封止部材、  ２２  フレキシブルプリント基板、  ２３  電極、  ２４  接着剤、  ５０  ピン、  ５２  配線、  ５４  補強部材、  ７２  光源。
【図１】
2017220309.tif 000003
【図２】
2017220309.tif 000004
【図３】
2017220309.tif 000005
【図４】
2017220309.tif 000006
【図５】
2017220309.tif 000007
【図６】
2017220309.tif 000008
【図７】
2017220309.tif 000009
【図８】
2017220309.tif 000010
【図９】
2017220309.tif 000011